(57)【要約】【課題】鼻隠し板を形成する材料中に含まれる劣化性物質の移行を簡便に防止し、支持部が劣化するのを防止することができ、施工性の良好な軒樋吊具を提供すること。【解決手段】軒樋を支持する支持部と、支持部に対して垂直に起立する固定部３とを備え、固定部において前後に貫通する取付孔５の周囲部分が、鼻隠し板４を形成する材料中に含まれる劣化性物質の移行により支持部が劣化するのを防止する劣化防止材料７から形成されている。【選択図】図１
2008156895.tif 000002
【特許請求の範囲】
【請求項１】
軒樋を支持する支持部と、支持部に対して垂直に起立する固定部とを備え、固定部において前後に貫通する取付孔の周囲部分が、鼻隠し板を形成する材料中に含まれる劣化性物質の移行により支持部が劣化するのを防止する劣化防止材料から形成されていることを特徴とする軒樋吊具。
【請求項２】
劣化防止材料の厚みが固定部の前端側から後端に向かって増大していることを特徴とする請求項１に記載の軒樋吊具。
【請求項３】
取付孔が、前端から後端に向かって孔径が細くなる円錐状であり、後端側の孔径が軒樋吊具を鼻隠し板に固定する固着具の外径より細く、固着具の保持が可能となっていることを特徴とする請求項１または２に記載の軒樋吊具。
【請求項４】
取付孔の内周にネジ溝が刻設されていることを特徴とする請求項３に記載の軒樋吊具。
【請求項５】
取付孔が、軒樋吊具を鼻隠し板に固定する固着具の外径より細い円柱状であり、固着具の保持が可能となっていることを特徴とする請求項１または２に記載の軒樋吊具。
【発明の詳細な説明】
【技術分野】
【０００１】
本発明は、軒樋吊具に関する。
【背景技術】
【０００２】
軒先に軒樋を取り付けるために、図４に示したような軒樋吊具１が用いられている。軒樋吊具１は、これまでに様々な構成を有するものが提供されているが、一般に、軒樋の耳部を保持し、軒樋を支持する支持部２と、支持部２に対して垂直に起立する固定部３とを備えている。
【０００３】
軒樋吊具１は、固定部３の後端３ａを軒先に設けられた鼻隠し板４の屋外面４ａに当接させ、固定部３に形成された前後方向に貫通する取付孔５を通じて固着具としての釘またはビス６を鼻隠し板４に打入または螺入して軒先に取り付けられ、固定される。このように固定された軒樋吊具１に軒樋が取り付けられ、軒樋が軒樋吊具１を介して軒先に取り付けられる。
【０００４】
ところで、鼻隠し板４がセメント製であるとそのアルカリ成分が、また、塩ビ鋼板製であると可塑剤が経時的に軒樋吊具１に移行し、支持部２を劣化させることがある。支持部２および固定部３は、軽量で強度の高い材料から形成されることが好ましく、特にポリカーボネートは支持部２および固定部３用の材料として好ましいが、この場合の劣化性物質の移行防止は重要である。
【０００５】
軒樋吊具１への劣化性物質の移行を防止するために、本出願人は、カバー部材付き雨樋吊具を提案している（特許文献１）。
【０００６】
特許文献１に記載されたカバー部材付き雨樋吊具では、可塑剤が添加されていない合成樹脂製のカバー部材が雨樋吊具の水平連設片を上方より覆うように雨樋吊具に嵌着され、防水のために軒先部の上面に敷設される防水板材を形成する塩化ビニルに添加されている可塑剤の雨樋吊具への移行をカバー部材によって阻止し、ポリカーボネートなどの樹脂から形成される雨樋吊具の変質、クラックの発生などの悪影響を防止している。
【特許文献１】特開２００３−４９５１５号公報
【発明の開示】
【発明が解決しようとする課題】
【０００７】
だが、カバー部材を各雨樋吊具に取り付けるのは手間がかかり、高所での取付作業であるため、特許文献１に記載されたカバー部材付き雨樋吊具は、施工性の面で改善が嘱望される。
【０００８】
本発明は、以上の通りの事情に鑑みてなされたものであり、鼻隠し板を形成する材料中に含まれる劣化性物質の移行を簡便に防止し、支持部が劣化するのを防止することができ、施工性の良好な軒樋吊具を提供することを課題としている。
【課題を解決するための手段】
【０００９】
本発明の軒樋吊具は、上記の課題を解決するために、以下のことを特徴としている。
【００１０】
第１に、軒樋を支持する支持部と、支持部に対して垂直に起立する固定部とを備え、固定部において前後に貫通する取付孔の周囲部分が、鼻隠し板を形成する材料中に含まれる劣化性物質の移行により支持部が劣化するのを防止する劣化防止材料から形成されている。
【００１１】
第２に、上記第１の特徴において、劣化防止材料の厚みが固定部の前端側から後端に向かって増大している。
【００１２】
第３に、上記第１または第２の特徴において、取付孔が、前端から後端に向かって孔径が細くなる円錐状であり、後端側の孔径が軒樋吊具を鼻隠し板に固定する固着具の外径より細く、固着具の保持が可能となっている。
【００１３】
第４に、上記第３の特徴において、取付孔の内周にネジ溝が刻設されている。
【００１４】
第５に、上記第１または第２の特徴において、取付孔が、軒樋吊具を鼻隠し板に固定する固着具の外径より細い円柱状であり、固着具の保持が可能となっている。
【発明の効果】
【００１５】
上記第１の発明によれば、鼻隠し板を形成する材料中に含まれる劣化性物質の移行により支持部が劣化するのを簡便に防止することができ、軒樋の取付状態が安定に保たれる。また、軒樋吊具の施工性が良好となる。
【００１６】
上記第２の発明によれば、劣化性物質の移行による支持部の劣化がより防止される。
【００１７】
上記第３の発明によれば、上記第１または第２の発明の効果に加え、軒樋吊具を鼻隠し板に固定する固着具の保持が可能であり、高所での作業が容易となり、施工性がより良好となる。
【００１８】
上記第４の発明によれば、保持力が高まり、固着具としてのビスの不意の脱落を防止することができる。
【００１９】
上記第５の発明によれば、上記第３の発明と同様な効果が得られる。
【発明を実施するための最良の形態】
【００２０】
図１は、本発明の軒樋吊具の第１実施形態を示した要部断面図である。
【００２１】
図１に示した軒樋吊具１は、図４に示した軒樋吊具１の基本的な構成、すなわち、軒樋の耳部を保持し、軒樋を支持する支持部２と、支持部２に対して垂直に起立する固定部３とを備えるという構成を踏襲している。
【００２２】
そして、図１に示した軒樋吊具１では、軒樋吊具１を軒先の鼻隠し板４に固定する固着具である釘またはビス６を通すために設けられた固定部３において前後に貫通する取付孔５の周囲部分が、鼻隠し板４を形成する材料中に含まれる劣化性物質の移行により支持部２が劣化するのを防止する劣化防止材料７から形成されている。
【００２３】
鼻隠し板４がセメント製であるとそのアルカリ成分が、また、塩ビ鋼板製であると可塑剤が経時的に軒樋吊具１に移行し、支持部２を劣化させることがある。支持部２および固定部３は、軽量で強度の高い材料から形成されることが好ましく、特にポリカーボネートは支持部２および固定部３用の材料として好ましいが、この場合の劣化性物質の移行防止は重要である。劣化性物質の移行は釘またはビス６を通じて起こりやすいため、固定部３の取付孔５の周囲部分を劣化防止材料７から形成して支持部２の劣化を防止している。支持部２の劣化防止により、軒樋の取付状態が安定に保たれる。また、劣化防止材料７の使用を必要最小限に抑え、コストを抑えている。
【００２４】
劣化防止材料７には種々の材料を採用することができ、たとえば、ポリエチレン、ポリプロピレン、ポリ塩化ビニルなどの硬質系樹脂やシリコンゴム、ウレタンゴムなどの軟質系樹脂が例示される。ポリブチレンテレフタレートの採用も可能であり、この場合、ガラス繊維入りとすることで、釘の打入またはビス６の螺入にともなう圧縮強度に十分耐え得るようになる。軟質系樹脂を使用すると、取付孔５における釘またはビス６の保持面積が拡大され、釘またはビス６を安定して保持することができるとともに、軒樋吊具１にかかる応力をより均等に配分することができ、釘またはビス６の応力による軒樋吊具１の劣化を防ぐこともできる。
【００２５】
劣化防止材料７の厚みは、固定部３の前端３ｂ側から後端３ａに向かって増大している。このように、劣化防止材料７の厚みを固定部３の前端３ｂ側から後端３ａに向かって増大させることで、固定部３の後端３ａにおいて鼻隠し板４の屋外面４ａに当接する劣化防止材料７の接触面積を十分に確保し、鼻隠し板４からのアルカリ成分や可塑剤などの劣化性物質の移行をより防止している。
【００２６】
また、図１に示した軒樋吊具１では、取付孔５が、前端５ｂから後端５ａに向かって孔径が細くなる、すなわち、前端５ｂの孔径をＤ、後端５ａの孔径をｄとすると、ｄ＜Ｄである円錐状とし、後端５ａ側の孔径を軒樋吊具１を鼻隠し板４に固定する固着具である釘またはビス６の固着具の外径Ｒより細くしている。このような取付孔５によって、固着具としての釘またはビス６は、取付孔５の前端５ｂから挿入することにより、外径Ｒより孔径が細くなった取付孔５の部分において劣化防止材料７の弾性などによって保持される。したがって、あらかじめ釘またはビス６を取付孔５の前端５ｂから挿入し、取付孔５に保持させた状態において、固定部３の後端３ａを軒先の鼻隠し板４の屋外面４ａに重合させ、軒樋吊具１を鼻隠し板４に取り付け、固定することができ、釘の打入およびビス６の螺入が容易となる。軒樋吊具１の取付作業は高所で行われることから、このような釘またはビス６の取付孔５における保持は、軒樋吊具１の施工性をより良好にする。
【００２７】
また、釘またはビス６は、劣化防止材料７を削るように打入または螺入されるので、軒樋吊具１の釘またはビス６による固定強度が高まっている。
【００２８】
このように、図１に示した軒樋吊具１は、鼻隠し板４の屋外面４ａに後端３ａが当接する固定部３において前後に貫通する取付孔５の周囲部分が劣化防止材料７から形成されているので、鼻隠し板４を形成する材料中に含まれる劣化性物質の移行により支持部２が劣化するのを防止することができ、軒樋の取付状態を安定に保つことができる。しかも、劣化性物質の移行は、取付孔５の周囲部分を劣化防止材料７から形成するという簡便な構成により実現され、カバー部材などを付加する必要がなく、施工性に優れている。
【００２９】
また、図１に示した軒樋吊具１は、劣化防止材料７の厚みが固定部３の前端３ｂ側から後端３ａに向かって増大しているので、劣化性物質の移行による支持部２の劣化をより防止することができる。
【００３０】
さらに、図１に示した軒樋吊具１は、取付孔５が、前端５ｂから後端５ａに向かって孔径が細くなる（ｄ＜Ｄ）円錐状であり、後端５ａ側の孔径が釘またはビス６の外径Ｒより細くなっているので、軒樋吊具１を鼻隠し板４に固定する固着具としての釘またはビス６を保持することができ、高所での作業が容易となり、施工性がより良好となっている。
【００３１】
図２は、本発明の軒樋吊具の第２実施形態を示した要部断面図である。
【００３２】
図２に示した軒樋吊具１において図１に示した軒樋吊具１と同じ部分には同一の符号を付し、その説明を省略する。
【００３３】
図２に示した軒樋吊具１は、図１に示した軒樋吊具１の取付孔５の内周にネジ溝８が刻設されたものである。したがって、図２に示した軒樋吊具１では、図１に示した軒樋吊具１が奏する効果に加え、ビス６を取付孔５にある程度ねじ込むことができるので、ビス６の保持力が高まり、ビス６の不意の脱落を防止することができる。
【００３４】
図２に示した軒樋吊具１の他の効果は、図１に示した軒樋吊具１とまったく同様である。
【００３５】
図３は、本発明の軒樋吊具の第３実施形態を示した要部断面図である。
【００３６】
図３に示した軒樋吊具１において図１および図２に示した軒樋吊具１と同じ部分には同一の符号を付し、その説明を省略する。
【００３７】
図３に示した軒樋吊具１では、取付孔５が、前端５ｂから後端５ａまで一定の孔径ｄである円柱状とされ、孔径ｄは、軒樋吊具１を鼻隠し板４に固定するための固着具としての釘またはビス６の外径Ｒより細くしている。このため、図３に示した軒樋吊具１は、取付孔５が円柱状であっても、固着具としての釘またはビス６を取付孔５の前端５ｂから挿入することにより、釘またはビス６を取付孔５において劣化防止材料７の弾性などによって保持することができ、したがって、あらかじめ釘またはビス６を取付孔５の前端５ｂから挿入し、取付孔５に保持させた状態において、固定部３の後端３ａを軒先の鼻隠し板４の屋外面４ａに重合させ、軒樋吊具１を鼻隠し板４に取り付け、固定することができ、釘の打入およびビス６の螺入が容易となる。軒樋吊具１の施工性は、図１に示した軒樋吊具１とほぼ同様に良好であり、高所で行われる軒樋吊具１の取付作業が容易となる。
【００３８】
また、釘またはビス６は、劣化防止材料７を削るように打入または螺入されるので、軒樋吊具１の釘またはビス６による固定強度が高まっている。
【００３９】
図３に示した軒樋吊具１の他の効果は、図１に示した軒樋吊具１とまったく同様である。
【００４０】
なお、図１、図２および図３に示した軒樋吊具１において、劣化防止材料７から形成される取付孔５の周囲部分は、固定部３の形成とともに一体に形成することができる他、前後に貫通する取付孔５を有し、劣化防止材料７から形成された部材を作製し、この部材の外形に対応する孔部を固定部３に形成し、その孔部に劣化防止材料７から形成された部材を嵌着することによっても形成することができる。
【００４１】
また、図１、図２および図３に示したように、固定部３の前端３ｂでは劣化防止材料７によって座部９を形成し、釘またはビス６の頭部６ａの受けとし、釘の打入またはビス６の螺入にともなう圧縮強度により十分に耐え得るようにすることができる。
【図面の簡単な説明】
【００４２】
【図１】本発明の軒樋吊具の第１実施形態を示した要部断面図である。
【図２】本発明の軒樋吊具の第２実施形態を示した要部断面図である。
【図３】本発明の軒樋吊具の第３実施形態を示した要部断面図である。
【図４】従来の軒樋吊具を例示した側面図である。
【符号の説明】
【００４３】
１  軒樋吊具
２  支持部
３  固定部
３ａ  後端
３ｂ  前端
４  鼻隠し板
５  取付孔
５ａ  後端
５ｂ  前端
７  劣化防止材料
８  ネジ溝
【図１】
2008156895.tif 000003
【図２】
2008156895.tif 000004
【図３】
2008156895.tif 000005
【図４】
2008156895.tif 000006